(57)【特許請求の範囲】
【請求項１】
平面的に集合せる複数のコンクリート製の覆工ブロックの全域に、一条の線材を蛇行曲げして形成した蛇行曲げ経線材と、一条の線材を蛇行曲げして形成した蛇行曲げ緯線材とを上下に交差して埋設し、覆工ブロックの夫々に上記蛇行曲げ経線材と蛇行曲げ緯線材の交差部を形成して覆工ブロック間を連結したことを特徴とする覆工ブロックユニット。
【請求項２】
平面的に集合せる複数のコンクリート製の覆工ブロックの全域に、一条の線材を蛇行曲げして形成した蛇行曲げ経線材と、一条の線材を蛇行曲げして形成した蛇行曲げ緯線材とを上下に交差して埋設し、該埋設により各個の覆工ブロック中に蛇行曲げ経線材の各蛇行曲げ部を形成する二本の経線材と、蛇行曲げ緯線材の各蛇行曲げ部を形成する二本の緯線材を配在し、各覆工ブロックの夫々に上記蛇行曲げ経線材と蛇行曲げ緯線材による四個の交差部を形成して覆工ブロック間を連結したことを特徴とする覆工ブロックユニット。
【請求項３】
上記蛇行曲げ経線材又は／及び蛇行曲げ緯線材の蛇行曲げ部を外端に配置された覆工ブロックの外側方へ突出させ吊り手を形成したことを特徴とする請求項１又は２記載の覆工ブロックユニット。
【発明の詳細な説明】
【０００１】
【発明の属する技術分野】
本発明は川岸や河川敷、川底や海底、或いは道路や造成地の法面等の施工面に敷設される覆工ブロックユニットに関する。
【０００２】
【従来の技術】
特許文献１等に示すように、縦横に並列したコンクリート製の覆工ブロック群中にネットを埋設して覆工ブロック間を連結した覆工ブロックユニット、或いは特許文献２等に示すように、短直状の連結線材（鉄筋）を縦横に交差組みして上記覆工ブロック群中に埋設して覆工ブロック間を連結した覆工ブロックユニットが既知である。
【０００３】
上記仕様の覆工ブロックユニットは川岸や河川敷、或いは道路や造成地の法面等の施工面に敷設する場合に多用されており、覆工ブロックユニットをクレーンで吊り上げて順次敷き詰め、覆工ブロック間に間詰め材を充填する簡易な作業で広面積の覆工工事が短い工期で、且つローコストで施工できる利点を有する。
【０００４】
更に覆工ブロック間を連結する連結ネットや連結線材の可撓性によって施工面の不陸に対し容易に馴染み施工できる利点を有する。
【０００５】
加えて覆工ブロックを擬岩形態にコンクリート成形することによって、自然景観を醸成できる利点を有する。
【０００６】
【特許文献１】
特開２０００−８０６２５号公報
【０００７】
【特許文献２】
特許第２５１３５４６号公報
【０００８】
【発明が解決しようとする課題】
然しながら上記覆工ブロックユニットは多数の競合製品が提供されている現状にあって、そのコスト削減、即ち覆工ブロックユニットそのもののコスト削減と、工事費の削減が課題となっているが、上記特許文献１に使用する金属製ネット、合成樹脂製ネットは何れもネット製造メーカーから入手する価格が割高につき、上記コスト削減に限界を有している。
【０００９】
加えて覆工ブロックユニットの仕様に応じ、大きさ等の異なる異種のネットを購入せねばならず、更なるコストアップの要因となっている。
【００１０】
又特許文献２においては上記ネットを使用せずに、短直状の鉄筋を縦横に交差して覆工ブロック間の連結が可能であるが、多数の鉄筋（連結線材）を使用せねばならず、これら多数の鉄筋を交差組みして多点溶接せねばならない作業、或いは多数の鉄筋を覆工ブロックユニットを成形する成形型内へ配置せねばならない煩雑な作業を要し、結局は充分なコスト削減を達成し難い。
【００１１】
又上記覆工ブロックユニットはクレーン等で吊り上げて施工面に敷設されるのであるが、上記短直状の鉄筋を交差組みした連結線材では、上記覆工ブロックユニットを吊り上げるための吊り掛け部材を別に用意し、同ユニットの外方へ突出するように埋め込まねばならず、これもコストアップの原因となる。
【００１２】
【課題を解決するための手段】
本発明は線材を連結手段として用いながら、同線材を用いる上記特許文献２における問題点、ひいてはネットを連結手段として用いる上記特許文献１の問題点を解消する覆工ブロックユニットを提供するものである。
【００１３】
この覆工ブロックユニットは線材を蛇行曲げして形成した蛇行曲げ経線材と、線材を蛇行曲げして形成した蛇行曲げ緯線材とを連結線材として用い、蛇行曲げ経線材と蛇行曲げ緯線材とを上下に交差して上記覆工ブロック群中に埋設し、覆工ブロックの夫々に上記蛇行曲げ経線材と蛇行曲げ緯線材の交差部を形成して上記覆工ブロック間を連結する構成としたものである。
【００１４】
好ましい例として、各個の覆工ブロック中に蛇行曲げ経線材の各蛇行曲げ部を形成する二本の経線材と、蛇行曲げ緯線材の各蛇行曲げ部を形成する二本の緯線材とが配在されるように埋設し、各覆工ブロック中に上記交差部を四個形成して上記覆工ブロック間を連結する。
【００１５】
又上記蛇行曲げ経線材又は／及び蛇行曲げ緯線材の蛇行曲げ部を外端に配置された覆工ブロックの外側方へ突出させ吊り手を形成する構成としたものである。
【００１６】
【発明の実施の形態】
以下本発明の実施の形態を図１乃至図６に基づき説明する。
【００１７】
図２，図３に示すように、この覆工ブロックユニット１は平面的に集合せる複数の覆工ブロック２から成る。各覆工ブロック２は互いに独立し、コンクリート成形して擬岩形状を付与した擬岩ブロック等である。
【００１８】
又は各覆工ブロック２は砕石を貧配合したセメントにより擬岩形状等に成形した多空隙構造のブロックである。砕石はセメントにより互いに結合し、砕石間に多空隙構造を有する。
【００１９】
他方図１に示すように、上記覆工ブロック２間の連結手段として、金属製の一条の線材を蛇行曲げして形成した蛇行曲げ経線材４と、同様に金属製の一条の線材を蛇行曲げして形成した蛇行曲げ緯線材５とを用意する。
【００２０】
上記蛇行曲げ経線材４と蛇行曲げ緯線材５とは蛇行曲げピッチを同一にする。即ち一種の蛇行曲げ線材を所定の幅でカットし、蛇行曲げ経線材４と蛇行曲げ緯線材５として用いる。
【００２１】
図２，図３，図４，図５に示すように、上記平面的に集合せる複数のコンクリート製の覆工ブロック２の全域に、上記蛇行曲げ経線材４と蛇行曲げ緯線材５とを上下に交差して埋設し、覆工ブロック２の夫々に上記蛇行曲げ経線材４と蛇行曲げ緯線材５の交差部６を配在して上記覆工ブロック２間を連結する。よって覆工ブロックユニット１を形成する。
【００２２】
好ましい例として図２に示すように、各個の覆工ブロック２中に蛇行曲げ経線材４の各蛇行曲げ部を形成する二本の経線材４ａ，４ａを埋設し、同様に各個の覆工ブロック２中に蛇行曲げ緯線材５の各蛇行曲げ部を形成する二本の緯線材５ａ，５ａを埋設し、各覆工ブロック２中に上記交差部６が四個形成されるように埋設する。
【００２３】
又は図３に示すように、各個の覆工ブロック２中に蛇行曲げ経線材４の各蛇行曲げ部を形成する二本の経線材中の一本の経線材４ａを埋設し、同様に各個の覆工ブロック２中に蛇行曲げ緯線材５の各蛇行曲げ部を形成する二本の緯線材中の一本の緯線材５ａを埋設し、各覆工ブロック２中に上記交差部６が一個形成されるように埋設する。
【００２４】
上記図２，図３に示す蛇行曲げ経線材４と蛇行曲げ緯線材５とは、図１に示すように、全交差部６の要所要所を溶接３して一体組みして成る複合蛇行曲げ線材にし、該一体組みした複合蛇行曲げ線材の状態で上記覆工ブロック２群中に埋設する。即ち覆工ブロック２群のコンクリート成形時に上記複合蛇行曲げ線材を型込めし埋設する。
【００２５】
又は蛇行曲げ経線材４と蛇行曲げ緯線材５を分離し、別々に覆工ブロック２群中に埋設する。この場合図５に示すように、蛇行曲げ経線材４と蛇行曲げ緯線材５は上下に重ね合わせて覆工ブロック２群中に埋設するか、図４に示すように、上下に離間して覆工ブロック２群中に埋設する。何れの場合も両者４，５は各経線材４ａと各緯線材５ａとが平面視、互いに交差した状態で覆工ブロック２群中に埋設される。
【００２６】
又上記蛇行曲げ経線材４又は／及び蛇行曲げ緯線材５の蛇行曲げ部を外端に配置された覆工ブロック２の外側方へ突出させ吊り手７を形成する。
【００２７】
例えば上記覆工ブロックユニット１中の最外端の覆工ブロックユニット１の外側面から上記蛇行曲げ経線材４又は／及び蛇行曲げ緯線材５の蛇行曲げ部を外側方へ突出して吊り手７を形成し、クレーンによる覆工ブロックユニット１の吊り上げに供する。
【００２８】
上記吊り手７を形成する蛇行曲げ部は他の蛇行曲げ部より外側方へ突出する長さにし、覆工ブロック２の側面から突出せしめる。
【００２９】
又は図６に示すように、蛇行曲げ経線材４の全ての蛇行曲げ部又は蛇行曲げ緯線材５の全ての蛇行曲げ部を外端の覆工ブロック２の外側面から外側方へ突出し吊り手７を形成する。
【００３０】
又図１に示すように、上記蛇行曲げ経線材４と蛇行曲げ緯線材５の端部をフック形に折曲し、該フック形の端部を覆工ブロック２中に埋設して上記覆工ブロック２側面から外側方へ突出し、このフック曲げ部にて吊り手７を形成する。この吊り手７は少なくとも覆工ブロックユニット１のコーナー部に配置する。
【００３１】
【発明の効果】
本発明によれば、覆工ブロックユニットの連結手段として線材を用い、しかも二本の蛇行曲げ線材にて形成されるものであるから、極めて安価であり、型枠内設置も容易である。覆工ブロックユニットの種類に応じ、蛇行曲げ経線材と蛇行曲げ緯線材の大きさや蛇行曲げピッチを自在に設定でき、簡単な曲げ機を用い、備蓄している直線材を自工場において容易に蛇行曲げ加工して上記経線材と緯線材とが形成できる。
【００３２】
又蛇行曲げ経線材と蛇行曲げ緯線材との蛇行曲げ部を利用して吊り上げ用吊り手を容易に形成できる。
【図面の簡単な説明】
【図１】Ａは蛇行曲げ経線材の平面図、Ｂは蛇行曲げ緯線材の平面図、Ｃは蛇行曲げ経線材と蛇行曲げ緯線材とを蛇行曲げ複合線材にした状態の平面図。
【図２】覆工ブロックユニットにおける蛇行曲げ経線材と蛇行曲げ緯線材の埋設構造の一例を一部断面して示す平面図。
【図３】覆工ブロックユニットにおける蛇行曲げ経線材と蛇行曲げ緯線材の埋設構造の他例を一部断面して示す平面図。
【図４】覆工ブロックユニットにおける蛇行曲げ経線材と蛇行曲げ緯線材の埋設構造の一例を示す断面図。
【図５】覆工ブロックユニットにおける蛇行曲げ経線材と蛇行曲げ緯線材の埋設構造の他例を示す断面図。
【図６】覆工ブロックユニットの吊り手の形成例を示す平面図。
【符号の説明】
１…覆工ブロックユニット、２…覆工ブロック、３…溶接、４…蛇行曲げ経線材、４ａ…経線材、５…蛇行曲げ緯線材、５ａ…緯線材、６…交差部、７…吊り手
【図１】
0003696199.tif 000002
【図２】
0003696199.tif 000003
【図３】
0003696199.tif 000004
【図４】
0003696199.tif 000005
【図５】
0003696199.tif 000006
【図６】
0003696199.tif 000007